(57)【要約】【課題】  コストダウンとスペース効率の向上を図り得るようにする。【解決手段】  パネル部材２２に、スイッチブラケット３８を介してスイッチ本体３５を取付けると共に、スイッチブラケット３８が、スイッチ本体３５の両側面を保持可能な対の弾性舌片４０を有すると共に、各弾性舌片４０が爪係止孔４４を有し、且つ、スイッチ本体３５が、弾性舌片４０に保持される両側面に爪係止孔４４に係止される爪部４３を有するスイッチ取付構造であって、弾性舌片４０の開き防止手段５２を、弾性舌片４０と、パネル部材２２またはその周辺部品５１との間に設けるようにしている。【選択図】        図４
2006290016.tif 000002
【特許請求の範囲】
【請求項１】
パネル部材に、スイッチブラケットを介してスイッチ本体を取付けると共に、前記スイッチブラケットが、スイッチ本体の両側面を保持可能な対の弾性舌片を有すると共に、各弾性舌片が爪係止孔を有し、且つ、前記スイッチ本体が、前記弾性舌片に保持される両側面に前記爪係止孔に係止される爪部を有するスイッチ取付構造において、
前記弾性舌片の開き防止手段を、前記弾性舌片と、前記パネル部材またはその周辺部品との間に設けたことを特徴とするスイッチ取付構造。
【発明の詳細な説明】
【技術分野】
【０００１】
この発明は、スイッチ取付構造に関するものである。
【背景技術】
【０００２】
自動車などの車両では、車室内に、図５に示すようなセンターコンソール１やインストルメントパネルなどの各種のパネル部材２が設置されている。このようなパネル部材２には、スイッチ３が取付けられたものが存在する（例えば、特許文献１参照）。
【０００３】
パネル部材２にスイッチ３を取付けるために、従来は、図６〜図８（主に図８参照）に示すような、スイッチブラケット５と、開き防止部材７とを用いている。
【０００４】
上記スイッチブラケット５は、スイッチ本体８の両側面を保持可能な対の弾性舌片９を有している。この弾性舌片９には爪係止孔１０が形成されている。そして、スイッチ本体８は、両側面に爪係止孔１０に係止される爪部１１を有している。
【０００５】
また、上記開き防止部材７は、スイッチ本体８を取付けたスイッチブラケット５に外嵌可能な枠状を呈しており、弾性舌片９の先端部分を押さえて弾性舌片９の開きを防止し得るように構成されている。開き防止部材７は、プレス加工された金属板によって形成された、金属製の補強プレートとされている。
【０００６】
そして、パネル部材２にスイッチ３を取付ける場合、先ず、スイッチ本体８をスイッチブラケット５に取付ける。この際、スイッチ本体８の両側部を、スイッチブラケット５の対の弾性舌片９の間に保持させ、スイッチ本体８両側面の爪部１１を、各弾性舌片９の爪係止孔１０に係止させるようにする。次に、スイッチ本体８を取付けたスイッチブラケット５を、パネル部材２に取付ける。なお、パネル部材２にスイッチブラケット５を取付けた後に、スイッチブラケット５にスイッチ本体８を取付けるようにしても良い。最後に、枠状の開き防止部材７を、スイッチブラケット５に対して外嵌すると共に、開き防止部材７をパネル部材２に取付けることにより、開き防止部材７で弾性舌片９の先端部分を押さえて弾性舌片９の開きを防止し、スイッチブラケット５からスイッチ３が外れないようにする。
【特許文献１】特開２００２−５９７８５号公報
【発明の開示】
【発明が解決しようとする課題】
【０００７】
しかしながら、上記スイッチ取付構造では、弾性舌片９の開きを防止してスイッチ本体８がスイッチブラケット５から抜けるのを防止するために、金属製の開き防止部材７を用いていたが、金属製の開き防止部材７は、部品費や組付費がかかるため、コストアップを招いていた。また、開き防止部材７は、周辺に所要の取付スペースを必要とするので、パネル部材２内におけるスペース効率が悪く、パネル部材２に対する設計自由度を低下させる原因となっていた。
【課題を解決するための手段】
【０００８】
上記課題を解決するために、請求項１に記載された発明では、パネル部材に、スイッチブラケットを介してスイッチ本体を取付けると共に、前記スイッチブラケットが、スイッチ本体の両側面を保持可能な対の弾性舌片を有すると共に、各弾性舌片が爪係止孔を有し、且つ、前記スイッチ本体が、前記弾性舌片に保持される両側面に前記爪係止孔に係止される爪部を有するスイッチ取付構造において、前記弾性舌片の開き防止手段を、前記弾性舌片と、前記パネル部材またはその周辺部品との間に設けたスイッチ取付構造を特徴としている。
【発明の効果】
【０００９】
請求項１の発明によれば、弾性舌片の開き防止手段を、弾性舌片と、パネル部材またはその周辺部品との間に設けたことにより、専用の開き防止部材がいらなくなるので、コストダウンを図ることが可能となると共に、パネル部材内におけるスペース効率が改善されるため、パネル部材に対する設計自由度を増加させることが可能となる。
【発明を実施するための最良の形態】
【００１０】
コストダウンとスペース効率の向上を図り得るようにするという目的を、弾性舌片の開き防止手段を、弾性舌片と、パネル部材またはその周辺部品との間に設ける、という手段で実現した。
【実施例】
【００１１】
以下、本発明を具体化した実施例について、図示例と共に説明する。
【００１２】
図１〜図４は、この発明の実施例を示すものである。
【００１３】
まず、構成を説明すると、自動車などの車両では、車室内に、図１に示すようなセンターコンソール２１やインストルメントパネルなどの各種のパネル部材２２が設置されている。例えば、図１のセンターコンソール２１の場合、車両前方から順に、シガーライターソケットなどと成る横３連の小開口部２５、シフトレバーを通すための開口部を有するフィニッシャ部材２６、この発明にかかるスイッチ２７、開閉可能なリッド（蓋体）を有するカップホルダ２８、開閉可能なリッド（蓋体）を有するコンソールボックス３０などが設けられている。また、スイッチ２７とカップホルダ２８との側部に、凹部が形成され、この凹部にパーキングブレーキレバーなどを通すための細長い開口部２９が設けられている。なお、この実施例では、スイッチ２７は、横３連配置とされているがこれに限るものではない。
【００１４】
このようなパネル部材２２に対して、スイッチ２７を取付けるために、図２〜図４（主に図４参照）に示すような構成を用いる。
【００１５】
先ず、スイッチ２７は、スイッチ本体３５とスイッチボタン３６とを有している。スイッチ本体３５はスイッチボタン３６よりも平面視で一回り大きな形状を有している。スイッチボタン３６は、スイッチ本体３５の上部に形成され、下方へ押し下げることによって操作するよう構成されている。スイッチボタン３６はほぼ矩形状の平面形状（車両前後方向へ延びる長方形状）を呈しており、所要の面取りが施されている。
【００１６】
パネル部材２２は、スイッチボタン３６を収容する開口部３７を備えている。この場合、上記したようにスイッチ２７が横３連配置とされているので、開口部３７は、スイッチボタン３６を横に３個並べた大きさのものが１個のみ形成されている。開口部３７は、ほぼ矩形状の平面形状（車幅方向へ延びる長方形状）を呈している。スイッチボタン３６は、パネル部材２２の表面よりもその上面が僅かに下がった状態で開口部３７内に配置されている。
【００１７】
そして、スイッチ２７をパネル部材２２の裏面側に取付けるためのスイッチブラケット３８を設ける。このスイッチブラケット３８は、開口部３７に裏面側から嵌着されるスイッチブラケット本体３９と、スイッチ本体３５の両側面を保持可能な対の弾性舌片４０とを備えている。スイッチブラケット３８は、樹脂成形品で構成されており、スイッチブラケット本体３９と弾性舌片４０とは一体成形されている。
【００１８】
スイッチブラケット本体３９は、スイッチボタン３６を通す開口部４１を有する枠状を呈しており、その側部には、パネル部材２２の裏面に対してネジ止めするためのネジ孔や位置決め孔などを有するフランジ部４２（図３参照）を備えている。このフランジ部４２は、スイッチブラケット本体３９の車幅方向の両側部に設けられている。開口部４１は、スイッチボタン３６を通し得るがスイッチ本体３５を通さない大きさのものが横に３個並べて形成されており、スイッチブラケット本体３９は、車幅方向へ延びる３連枠状を呈している。
【００１９】
また、弾性舌片４０は、上記各開口部４１の対向する縁部から対を成すように、パネル部材２２の裏面側へ向けて延設されている。この弾性舌片４０には爪係止孔４４が形成されている。この場合、弾性舌片４０は、各開口部４１の車両前後方向の縁部に設けられている。なお、図３では、スイッチブラケット本体３９の周囲に裏面側へ延びる周壁が形成され、この周壁の車両前後方向の部分に各開口部４１と対応させて切込みを入れることにより弾性舌片４０が形成されるようにしているが、周壁を設けずに弾性舌片４０のみを突設するようにしても良い。
【００２０】
そして、スイッチ本体３５は、両側面に爪係止孔４４に係止される爪部４３を有している。この爪部４３は、対を成す弾性舌片４０の間にパネル部材２２の裏面からスイッチ本体３５を挿入する際に、弾性舌片４０を広げるためのガイド傾斜面と、爪係止孔４４に係止された爪部４３が外れてスイッチ本体３５がパネル部材２２の裏面側へ抜けないようにするためのストッパ面とを備えている。このガイド傾斜面は、パネル部材２２の裏面側へ向かうに従い外方へ拡がる傾斜面とされている。また、ストッパ面は、スイッチ本体３５の挿入方向とほぼ直交する平坦面とされている。
【００２１】
この実施例のものでは、弾性舌片４０と、パネル部材２２またはその周辺部品５１との間に、弾性舌片４０の開きを防止可能な開き防止手段５２を設けるようにする。この実施例では、周辺部品５１を、例えば、カップホルダ２８とコンソールロワ部材５３とする。そのために、カップホルダ２８とコンソールロワ部材５３とを、可能な限りスイッチ２７に近付けて配設する。但し、余り近付け過ぎると、スイッチ２７を取付けるためのスペースがなくなってしまうので、スイッチ２７やスイッチブラケット３８との間に多少の隙間を有するものとする。
【００２２】
そして、開き防止手段５２として、各弾性舌片４０の先端部に外方曲げ部５４を形成し、この外方曲げ部５４をカップホルダ２８およびコンソールロワ部材５３の側面などに当接させて、取付後に弾性舌片４０が開かないようにする。
【００２３】
なお、弾性舌片４０の先端部に外方曲げ部５４を形成する代りに、周辺部品５１の側に、弾性舌片４０の先端部分を押さえて弾性舌片４０の開きを防止する押さえリブを設けるようにしても良い。
【００２４】
次に、この実施例の作用について説明する。
【００２５】
パネル部材２２にスイッチ２７を取付ける場合、先ず、スイッチ本体３５をスイッチブラケット３８に裏面側から取付ける。この際、スイッチ本体３５の両側部を、スイッチブラケット３８の対の弾性舌片４０の間に保持させ、スイッチ本体３５の両側面の爪部４３を、弾性舌片４０の爪係止孔４４に係止させるようにする。次に、スイッチ本体３５を取付けたスイッチブラケット３８を、パネル部材２２に取付ける。スイッチブラケット３８のパネル部材２２への取付けは、スイッチブラケット本体３９をパネル部材２２の開口部３７に裏面側から嵌着し、スイッチブラケット本体３９側部のフランジ部４２をパネル部材２２の裏面に対してネジ止めする。以上により、各弾性舌片４０の先端部に形成した外方曲げ部５４がカップホルダ２８およびコンソールロワ部材５３の側面などに当接されて、取付後に弾性舌片４０が開かないようになる。或いは、カップホルダ２８およびコンソールロワ部材５３の側面などに形成された押さえリブが、弾性舌片４０の先端部分を押さえて弾性舌片４０を開かないようにする。
【００２６】
このように、この実施例によれば、弾性舌片４０の開き防止手段５２を、弾性舌片４０と、パネル部材２２またはその周辺部品５１との間に設けたことにより、専用の開き防止部材がいらなくなるので、その製造コストや取付コストが削減されて、コストダウンを図ることが可能となると共に、パネル部材２２内におけるスペース効率が改善されるため、パネル部材２２に対する設計自由度を増加させることが可能となる。
【００２７】
例えば、この実施例の場合には、センターコンソール２１に比較的大きなカップホルダ２８を設けることが可能となる。
【００２８】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００２９】
【図１】本発明の実施例にかかるセンターコンソール（パネル部材）の斜視図である。
【図２】図１のセンターコンソールを裏面側から見た斜視図である。
【図３】図２のセンターコンソールの分解斜視図である。
【図４】図１センターコンソールの側方断面図である。
【図５】従来例にかかるセンターコンソール（パネル部材）の斜視図である。
【図６】図５のセンターコンソールを裏面側から見た斜視図である。
【図７】図６のセンターコンソールの分解斜視図である。
【図８】図５センターコンソールの側方断面図である。
【符号の説明】
【００３０】
２２  パネル部材
３５  スイッチ本体
３８  スイッチブラケット
４０  弾性舌片
４３  爪部
４４  爪係止孔
５１  周辺部品
５２  開き防止手段
【図１】
2006290016.tif 000003
【図２】
2006290016.tif 000004
【図３】
2006290016.tif 000005
【図４】
2006290016.tif 000006
【図５】
2006290016.tif 000007
【図６】
2006290016.tif 000008
【図７】
2006290016.tif 000009
【図８】
2006290016.tif 000010